Podtech/llm-jp-corpus-v4-ja_patent huggingface dataset:
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
粒子状ホットメルト接着剤を液化形態に加熱溶融する溶融装置であって、
前記粒子状ホットメルト接着剤を受け取るように構成された入口と出口とを含む内部を有し、前記粒子状ホットメルト接着剤を加熱溶融するように動作して、前記液化形態としてのホットメルト接着剤を前記出口に向ける加熱収容装置と、
前記粒子状ホットメルト接着剤の供給物を保持するように構成された可撓性ホッパと、
前記可撓性ホッパ内に保持された前記粒子状ホットメルト接着剤を移動するように動作する被駆動要素を含む連接装置と、
前記粒子状ホットメルト接着剤を前記可撓性ホッパから前記加熱収容装置の前記入口に向ける粒子状ホットメルト接着剤供給装置と、
を備える溶融装置。
【請求項２】
前記可撓性ホッパは、前記可撓性ホッパの壁に隣接する粒子を前記可撓性ホッパの内部中心位置に向かって移動させるように別の部分に対して連動できる少なくとも１つの第１の部分をさらに含む、
請求項１に記載の溶融装置。
【請求項３】
前記可撓性ホッパは、可動壁部を含み、前記連接装置は、前記可動壁部を動かして、前記可撓性ホッパ内に保持された前記粒子状ホットメルト接着剤を移動させる、
請求項１に記載の溶融装置。
【請求項４】
前記連接装置の少なくとも一部は、前記可動壁部の外部又は内部に動作可能に結合される、
請求項３に記載の溶融装置。
【請求項５】
前記可撓性ホッパ内に位置する被駆動装置をさらに備え、前記被駆動装置は、前記可撓性ホッパ内の前記粒子状ホットメルト接着剤を移動させるように構成される、
請求項１に記載の溶融装置。
【請求項６】
前記被駆動装置は、前記粒子状ホットメルト接着剤を撹拌するように構成された少なくとも１つの回転要素を含む、
請求項５に記載の溶融装置。
【請求項７】
前記粒子状ホットメルト接着剤を受け取るように構成された、前記加熱収容装置内の入口開口部と、
前記粒子状ホットメルト接着剤供給装置内に位置して、前記粒子状ホットメルト接着剤を前記可撓性ホッパから前記加熱収容装置の前記入口に移動させるように構成された被駆動供給要素と、
前記加熱収容装置の前記入口開口部に近接して位置し、前記入口開口部を横切って空気を向けるように構成された空気移動装置と、
をさらに備える請求項１に記載の溶融装置。
【請求項８】
粒子状ホットメルト接着剤を液化形態に加熱溶融する溶融装置と共に使用する前記粒子状ホットメルト接着剤の供給物を保持するように構成された可撓性ホッパであって、
前記粒子状ホットメルト接着剤を保持する内部を定めるとともに、前記可撓性ホッパの壁に隣接する粒子を前記可撓性ホッパの内部中心位置に向かって移動させるように別の部分に対して動くことができる少なくとも１つの第１の部分を含む少なくとも１つの側壁と、
前記内部と連通する出口と、
前記出口を前記溶融装置の粒子状ホットメルト接着剤供給装置に連結するように構成された結合要素と、
を備える可撓性ホッパ。
【請求項９】
粒子状ホットメルト接着剤を液化形態に加熱溶融する方法であって、
加熱収容装置の入口に通じる経路と流体連通して連結された出口を含む可撓性ホッパ内に前記粒子状ホットメルト接着剤の供給物を保持するステップと、
前記可撓性ホッパ内の前記粒子状ホットメルト接着剤の凝集塊を、１）前記可撓性ホッパの少なくとも１つの壁部を前記可撓性ホッパの別の壁部に対して動かすこと、又は、２）前記凝集塊に接触して粉砕するように構成された装置を前記可撓性ホッパ内で動かすこと、によって粉砕するステップと、
前記粒子状ホットメルト接着剤を前記可撓性ホッパの前記出口から前記加熱収容装置の前記入口を通じて供給するステップと、
前記加熱収容装置の内部で前記粒子状ホットメルト接着剤を加熱溶融するステップと、
液化したホットメルト接着剤を前記加熱収容装置の前記内部から前記加熱収容装置の前記出口に向けるステップと、
前記液化したホットメルト接着剤を前記出口からホットメルト接着剤ディスペンサに圧送するステップと、
を含む方法。
【請求項１０】
粒子状ホットメルト接着剤を供給するシステムであって、
外部ハウジングと、
前記外部ハウジングの内側に配置されて、前記粒子状ホットメルト接着剤を受け取るように構成された可撓性内部ハウジングと、
前記可撓性内部ハウジングと前記外部ハウジングの間に定められた外部空洞と、
前記可撓性内部ハウジングの内側に配置されて、前記粒子状ホットメルト接着剤が移動する際に通過する移送用開口部と、
前記外部空洞内に配置され、前記可撓性内部ハウジングに接触して、前記可撓性内部ハウジングの表面に横向きの力を加えるように構成された撹拌機と、を備えるシステム。
【請求項１１】
前記撹拌機は、アクチュエータに動作可能に結合された撹拌機プレートを含む、
請求項１０に記載のシステム。
【請求項１２】
前記撹拌機プレートは、第１の撹拌機プレートと第２の撹拌機プレートとを含み、前記アクチュエータは、前記アクチュエータの作動時に前記第１の撹拌機プレートが前記第２の撹拌機プレートに対して動くように、前記第１の撹拌機プレート及び前記第２の撹拌機プレートを動作可能に結合する、
請求項１１に記載のシステム。
【請求項１３】
前記移送用開口部と移送用ホース連結部との間に介在する細長い吸引ランスをさらに備え、前記移送用ホース連結部は、装置に連結して前記システムから前記粒子状ホットメルト接着剤を受け取るように構成される、
請求項１０に記載のシステム。
【請求項１４】
前記システムは、前記可撓性内部ハウジングの底部に接触し、前記可撓性内部ハウジングの前記底部に垂直振動を加えるように構成された垂直撹拌機をさらに備える、
請求項１０に記載のシステム。
【請求項１５】
前記撹拌機は、前記可撓性内部ハウジングに接触する撹拌機リングを含み、前記撹拌機リングは、前記撹拌機リングの回転時に前記可撓性内部ハウジングに前記横向きの力を加えるように構成される、請求項１０に記載のシステム。
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
フィルターアセンブリであって、
第１の層であって、第１の周囲領域と前記第１の周囲領域の中央の領域とを画定するベース層と、実質的に前記中央の領域内の前記第１の層の第１の表面上に配設される第１の接着剤と、前記第１の接着剤に結合される第１の吸着ビーズとを含む第１の層と、
第２の周囲領域を有するフィルター材の第１のシートを含む第２の層であって、前記第１の周囲領域及び前記第２の周囲領域は接合される、第２の層と、
第３の周囲領域を有するフィルター材の第２のシートを含む第３の層と
を含み、前記第１の周囲領域及び前記第３の周囲領域は接合され、前記ベース層、第２の層、及び第３の層は、実質的に同一の広がりを有する、フィルターアセンブリ。
【請求項２】
実質的に前記中央の領域内の前記第１の層の第２の表面上に配設される第２の接着剤と、前記第２の接着剤に結合される第２の吸着ビーズとを更に含む、請求項１に記載のフィルターアセンブリ。
【請求項３】
ディスクドライブアセンブリであって、
エンクロージャを画定するディスクドライブハウジングと、
前記エンクロージャ内に回転可能に取り付けられる少なくとも１つのディスクであって、前記少なくとも１つのディスクの回転は、前記エンクロージャ内に気流を誘導する、少なくとも１つのディスクと、
前記エンクロージャ内に配設される、請求項１に記載のフィルターアセンブリと
を含む、ディスクドライブアセンブリ。
【請求項４】
フィルターアセンブリを作成する方法であって、
第１の表面及び第２の表面を有するベース層を提供することと、
第１の接着剤を前記ベース層の前記第１の表面上にパターン被覆することと
を含み、前記接着剤は、特定の寸法形状の繰り返しの離散パターンを含み、前記離散寸法形状内で前記接着剤は不連続である、方法。
【請求項５】
アセンブリであって、
芯と、
第１の表面及び第２の表面を有するベース材の伸長シートであって、前記芯を中心として配設され、且つ実質的に螺旋状の構成であるベース材の伸長シートと、
特定の寸法形状の繰り返しの離散パターンで前記ベース材の前記第１の表面上に配設される第１の接着剤であって、前記特定の寸法形状は、約６ｍｍ〜約１５ｍｍの長さと約６ｍｍ〜約１５ｍｍの幅とを有する、第１の接着剤と、
前記接着剤に結合される吸着ビーズと
を含む、アセンブリ。
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
マイクロ流体チップの連続フロー運転のためのシステムであって、前記システムが以下の（１）〜（４）を含む、システム。
（１）以下の（ａ）〜（ｄ）を含むマイクロ流体チップ
（ａ）第１の溶液を受容するように構成される、第１の入口
（ｂ）第２の溶液を受容するように構成される、第２の入口
（ｃ）以下の（ｉ）〜（ｉｉｉ）を含む第１のミキサー
（ｉ）前記第１の入口から前記第１の溶液を受容するように構成される、第１の入口マイクロチャネル
（ｉｉ）前記第２の入口から前記第２の溶液を受容するように構成される、第２の入口マイクロチャネル
（ｉｉｉ）前記第１の溶液及び前記第２の溶液を混合して、ミキサー出口でナノ粒子溶液を提供するように構成される、混合マイクロチャネル
（ｄ）ナノ粒子溶液マイクロチャネルを通して前記ミキサー出口と流体連通する、チップ出口
（２）前記第１の溶液を、第１の溶液リザーバから、前記マイクロ流体チップの前記第１の入口内へ、連続して駆動するように構成される、第１の連続フロー流体駆動装置
（３）前記第２の溶液を、第２の溶液リザーバから、前記マイクロ流体チップの前記第２の入口内へ、連続して駆動するように構成される、第２の連続フロー流体駆動装置
（４）前記チップ出口と流体連通し、前記ナノ粒子溶液をアウトプットするように構成される、システム出口
ここで、前記システムが、連続運転の１０分間の時間内に少なくとも１００ｍＬの前記ナノ粒子溶液を生成するように構成される
【請求項２】
前記第１の溶液が活性医薬成分を含む、請求項１に記載のシステム。
【請求項３】
前記第２の溶液が、第２の溶媒中に粒子形成材料を含む、請求項１に記載のシステム。
【請求項４】
前記第１の溶液が、第１の溶媒中に核酸を含み、前記第２の溶液が、第２の溶媒中に脂質粒子形成材料を含む、請求項１に記載のシステム。
【請求項５】
前記第１のミキサーがディーン渦分岐ミキサー（ＤＶＢＭ）である、請求項１に記載のシステム。
【請求項６】
前記第１のミキサーが、１０００未満のレイノルズ数で前記第１の溶液及び前記第２の溶液を混合するような大きさ及び構成である、請求項１に記載のシステム。
【請求項７】
前記マイクロ流体チップが滅菌である、請求項１に記載のシステム。
【請求項８】
前記システムが、複数のミキサーをさらに含み、前記複数のミキサーのそれぞれが、第１の入口、第１の入口マイクロチャネル、第２の入口、第２の入口マイクロチャネル、混合マイクロチャネル、ミキサー出口、及びチップ出口を含み、前記複数のミキサーが前記第１のミキサーを含む、請求項１に記載のシステム。
【請求項９】
並列化されたミキサーが、前記マイクロ流体チップ上に、水平構成及び積み重ねられた構成の両方で配置される、請求項８に記載のシステム。
【請求項１０】
前記システムが希釈要素をさらに含み、前記希釈要素が、第３の連続フロー流体駆動装置を含み、前記第３の連続フロー流体駆動装置が、前記チップ出口と前記システム出口との間で、希釈チャネルを介して、希釈溶液リザーバから希釈溶液を前記システム内に連続して駆動するように構成される、請求項１に記載のシステム。
【請求項１１】
前記システムが、廃棄物出口をさらに含み、前記廃棄物出口が前記チップ出口と前記システム出口との間の廃棄物バルブと流体連通し、前記廃棄物バルブが、流体を前記廃棄物出口の方へ制御可能に導くように構成される、請求項１に記載のシステム。
【請求項１２】
前記システムが使い捨ての流体経路を含む、請求項１に記載のシステム。
【請求項１３】
前記システムが、１ｍ２以下のフットプリント面積を有する、請求項１に記載のシステム。
【請求項１４】
前記システムが、１時間あたり少なくとも０．７６Ｌのナノ粒子溶液の生成量を有する、請求項１３に記載のシステム。
【請求項１５】
前記システムが、パルス減衰メカニズムをさらに含み、前記パルス減衰メカニズムが、前記第１の連続フロー流体駆動装置、前記第２の連続フロー流体駆動装置、又はそれらの両方からの流れ脈動を最小限にするように構成される、請求項１に記載のシステム。
【請求項１６】
請求項１〜１５のいずれか一項に記載の滅菌マイクロ流体チップを含む滅菌パッケージであって、前記滅菌マイクロ流体チップが前記滅菌パッケージ内に封止されている、滅菌パッケージ。
【請求項１７】
請求項１〜１５のいずれか一項に記載のシステムを通して第１の溶液及び第２の溶液を流すステップ及び前記マイクロ流体チップの前記第１のミキサーにおいてナノ粒子溶液を形成するステップを含む、ナノ粒子を形成する方法。
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
活性炭触媒の存在下で実質的な量の鉄を含有する白液の酸化によるポリスルフィド蒸解液の製造に用いられる該活性炭触媒を再生する方法において、該触媒に蓄積される沈殿物を除去するために洗浄液により該触媒が洗浄される上記方法であって、
使用される洗浄液が硫化ナトリウム含有洗浄液であることを特徴とする上記方法。
【請求項２】
ポリスルフィド蒸解液の製造に用いられる、酸化されるべき白液が、少なくとも１ｍｇ／ｌ、特に少なくとも２ｍｌ／ｌ、特に少なくとも４ｍｌ／ｌの鉄を含有することを特徴とする、請求項１に記載の方法。
【請求項３】
活性炭触媒中に沈殿される元素イオウが、白液又は緑液又はそれらの混合液のような、硫化ナトリウム含有洗浄液を用いて溶解されることを特徴とする、請求項１又は２に記載の方法。
【請求項４】
前記洗浄液が硫化ナトリウムを水酸化ナトリウム又は炭酸ナトリウム又はそれらの混合物とともに含有し、その中の活性アルカリの量が１０〜２００ｇ／ｌ、特に約１００〜１２０ｇ／ｌであり、その硫化度が約１０〜５０％、特に約３０〜３５％であることを特徴とする、請求項１〜３のいずれかに記載の方法。
【請求項５】
硫化ナトリウム含有洗浄液がポリスルフィド蒸解液の製造用に用いられる白液であり、その白液は所望により水で希釈されることを特徴とする、請求項１〜４のいずれかに記載の方法。
【請求項６】
少なくとも一つの硫化ナトリウム洗浄ステップと酸性洗浄液で行なわれる少なくとも一つの洗浄ステップを含む多段式洗浄に、活性炭触媒を付すことにより該活性炭触媒を再生し、使用される酸性洗浄液が好ましくは、ギ酸若しくは同様のアルカン酸、又は塩酸若しくは同様の鉱酸、又はそれらの混合物のような、有機酸又は無機酸であることを特徴とする、請求項１〜５のいずれかに記載の方法。
【請求項７】
少なくとも一つの硫化ナトリウム洗浄ステップの後に少なくとも一つの洗浄ステップを酸性洗浄液を用いて行うか、又は対応して、及び
酸性洗浄液を用いて行われる少なくとも一つの洗浄ステップの後に少なくとも一つの硫化ナトリウム洗浄ステップを行い、酸性洗浄液を用いて行われる洗浄ステップに先立ち、イオウを含む化合物の残渣を除去するために活性炭触媒を好ましくはすすぐ、特にすすぎ水の廃液のｐＨ値が少なくともほとんど中性になるまで活性炭触媒をすすぐことを特徴とする、請求項６に記載の方法。
【請求項８】
酸洗浄ステップにおいて、触媒に含有される沈殿した金属、例えば沈殿した鉄、マンガン、カルシウム、又はマグネシウム又はそれらの混合物が除去されることを特徴とする、請求項６又は７に記載の方法。
【請求項９】
使用される酸性洗浄液が無機酸、例えば塩酸又は同様の鉱酸であり、その量が触媒中に含有される鉄沈殿物を除去するのに適切であり、使用される酸性洗浄液が有機又は無機酸の水溶液であり、その液の酸濃度が１〜１５重量％、特に約４〜６重量％であることを特徴とする、請求項６〜８のいずれかに記載の方法。
【請求項１０】
使用される洗浄液が硫化ナトリウムを含み、第一の時点で行われる少なくとも一つの洗浄ステップ、及び
酸性洗浄液が使用され、第一の時点の前か又はその後のいずれかの第二の時点で行われる一つの洗浄ステップ
を含む多段式洗浄に活性炭触媒を付すことにより該活性炭触媒を再生することを特徴とする請求項６〜９のいずれかに記載の方法。
【請求項１１】
複数の硫化ナトリウム洗浄ステップが順次行われ、その後に少なくとも一つの洗浄ステップが酸性洗浄液を用いて行われ；
複数の洗浄ステップが酸性洗浄液を用いて順次行われ、その後に少なくとも一つの硫化ナトリウム洗浄ステップが行われ；
洗浄シーケンスにおいて、少なくとも一つの硫化ナトリウム洗浄ステップと、酸性洗浄液を用いて行われる少なくとも一つの洗浄ステップとが交互に行われ、その後にこのような洗浄シーケンスが０〜５回繰り返されることを特徴とする、請求項１０に記載の方法。
【請求項１２】
第二の時点が第一の時点のすぐ後に続く、特に第一と第二の時点の間の時間が０．１〜２４時間、特に０．５〜１８時間であり、特に第一と第二の時点の間の時間が１日超、特に７日〜７２０日、最も適切には１４日〜１８０日であることを特徴とする、請求項１０又は１１に記載の方法。
【請求項１３】
使用される洗浄液が硫化ナトリウムを含む複数の洗浄ステップを含む多段式洗浄に活性炭触媒を付すことにより該活性炭触媒を再生し、酸性洗浄液が使用される洗浄ステップが硫化ナトリウムを含む最後の洗浄ステップの後に先立っては行われないことを特徴とする請求項６〜１２のいずれかに記載の方法。
【請求項１４】
酸化される白液がスルフェート又はポリスルフィド製造装置の化学サイクルから得られ、そのサイクルにおいて非化石燃料が石灰スラッジ再燃焼に用いられ、特に樹皮又は木材チップ又は同様の木材燃料のような木材ベース燃料が石灰スラッジ再燃焼に用いられることを特徴とする、請求項１〜１３のいずれかに記載の方法。
【請求項１５】
触媒が、その圧力の低下が少なくとも１０％だけ、最も適切には少なくとも１５％だけ、特に２０％だけ減少するまで、硫化ナトリウムを含む洗浄液により処理されることを特徴とする、請求項１〜１４のいずれかに記載の方法。
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
対象の血管を流れる血液の流速を測定する装置であって、
対象の体の第１の位置に配置され、超音波パルスを放出する超音波送信機と、
前記対象の体の第２の位置に配置され、前記送信機により放出された超音波パルスを検出する超音波受信機と、
前記送信機及び前記受信機と通信するコントローラとを有し、前記コントローラが、
超音波パルスが前記送信機により放出されることをもたらし、
検出された超音波パルスに対応する前記受信機からの測定信号を受信し、
前記受信された測定信号に基づき、前記放出された超音波パルスの第１の部分の前記受信機への到達時間Ｔ１を決定し、
前記受信された測定信号に基づき、前記放出された超音波パルスの第２の部分の前記受信機への到達時間Ｔ２を決定し、及び
前記第１の位置と前記第２の位置との間に位置する血管における血液の流速をＴ１及びＴ２を用いて算出する、装置。
【請求項２】
前記放出された超音波パルスの第１の部分が、前記受信される測定信号のエンベロープの第１の立ち上がりエッジの少なくとも一部に対応し、前記放出された超音波パルスの第２の部分は、前記エンベロープのメインピークの少なくとも一部に対応する、請求項１に記載の装置。
【請求項３】
Ｔ１を決定することが、前記受信される測定信号のエンベロープが第１の所定の閾値振幅に等しい最も早い時間を決定することを有し、Ｔ２を決定することは、前記エンベロープが第２の所定の閾値振幅に等しい最も早い時間を決定することを有する、請求項１又は２に記載の装置。
【請求項４】
第１の所定の閾値振幅が、前記受信される測定信号の最大振幅の第１のパーセンテージに対応し、第２の所定の閾値振幅は、前記最大振幅の第２のより大きなパーセンテージに対応する、請求項３に記載の装置。
【請求項５】
前記流速が、
2018515262.tif 000001
から計算され、ＴｏＦ１は、前記放出された超音波パルスの前記第１の部分の飛行時間であって、
2018515262.tif 000002
により与えられ、ＴｏＦ２が、前記放出された超音波パルスの第２の部分の飛行時間であって、
2018515262.tif 000003
により与えられ、Ｌは、前記送信機と前記受信機との間の超音波経路の長さであり、ｖが、流速であり、ｃは、軟組織における音速であるか、又は前記流速が、
2018515262.tif 000004
から計算される、請求項１乃至４のいずれかに記載の装置。
【請求項６】
前記コントローラが、
前記送信機により規則的な間隔で超音波パルスが放出されることをもたらし、
放出された各超音波パルスに関して、前記受信機から測定信号を受信し、Ｔ１及びＴ２を決定し、流速を計算し、及び
前記算出された流速値に基づき時間依存流速信号を生成する、請求項１乃至５のいずれかに記載の装置。
【請求項７】
前記コントローラが更に、
前記対象の心拍リズム信号を受信し、
バンドパスフィルタを用いて前記流速信号をフィルタリングし、前記受信される心拍リズム信号に同期した変化を抽出する、請求項６に記載の装置。
【請求項８】
前記コントローラが更に、前記流速信号をモデルに適合させる、請求項６又は７に記載の装置。
【請求項９】
前記コントローラは更に、
前記対象に関する姿勢情報を受信し、
前記受信される姿勢情報に基づき前記流速信号を補正する、請求項６乃至８のいずれかに記載の装置。
【請求項１０】
前記コントローラが更に、前記算出された血流速度に基づき、前記対象の一回拍出量及び／又は心拍出量を算出する、請求項１乃至９のいずれかに記載の装置。
【請求項１１】
前記送信機及び／又は前記受信機の１つ又は複数の動作パラメータが、前記コントローラにより自動的に調整可能であり、
前記コントローラは更に、較正プロセスを実行し、前記較正プロセスが、
前記送信機及び／又は前記受信機の１つ又は複数の動作パラメータを調整するステップと、
前記受信機により検出される信号の１つ又は複数の属性を測定するステップと、
前記測定された１つ又は複数の属性に基づき、前記１つ又は複数の動作パラメータのそれぞれに関する値を選択するステップとを有する、請求項１乃至１０のいずれかに記載の装置。
【請求項１２】
前記送信機及び前記受信機の各々が、前記対象の皮膚に接着するための接着パッチに埋め込まれた回路を有する、請求項１乃至１１のいずれかに記載の装置。
【請求項１３】
請求項１乃至１２のいずれかに記載の装置に関するコントローラであって、
前記コントローラが、
前記コントローラと超音波送信機との間、及び前記コントローラと超音波受信機との間の通信を可能にする通信インタフェースと、
処理ユニットとを有し、前記処理ユニットが、
前記超音波送信機に制御信号を出力し、前記超音波送信機が超音波パルスを放出することをもたらし、
前記放出された超音波パルスの前記受信機による検出に対応する超音波受信機からの測定信号を受信し、
前記受信される測定信号に基づき、前記放出された超音波パルスの第１の部分の受信機への到達時間Ｔ１を決定し、
前記受信される信号に基づき、前記放出された超音波パルスの第２の部分の受信機への到達時間Ｔ２を決定し、及び
Ｔ１とＴ２とを用いて、前記送信機と前記受信機との間に位置する血管における血液の流速を計算する、コントローラ。
【請求項１４】
対象の血管を流れる血液の流速を測定する方法において、
対象の体の第１の位置で超音波送信機から超音波パルスを放出するステップと、
前記対象の体の第２の位置で超音波受信機から測定信号を受信するステップであって、前記受信される信号が、前記放出される超音波パルスの前記受信機による検出に対応する、ステップと、
前記受信される測定信号に基づき、前記放出された超音波パルスの第１の部分の受信機への到達時間Ｔ１を決定するステップと、
前記受信される測定信号に基づき、前記放出された超音波パルスの第２の部分の受信機への到達時間Ｔ２を決定するステップと、
前記第１の位置と前記第２の位置との間に位置する血管における血液の流速をＴ１とＴ２とを用いて算出するステップとを有する、方法。
【請求項１５】
前記血管が、下行大動脈を有する、請求項１４に記載の方法。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
医療用デバイスの一部分を偏向させるのに使用するアセンブリであって、
第１の直径を有し、第１の引っ張りワイヤが連結される第１の回転可能な部材と、
前記第１の直径より小さい第２の直径を有し、第２の引っ張りワイヤが連結される第２の回転可能な部材と、を備え、
前記第２の回転可能な部材は、前記第２の回転可能な部材の中心点が前記第１の回転可能な部材の中心点からずれるように、前記第１の回転可能な部材に連結され、
前記第１および第２の回転可能な部材は、前記第１の引っ張りワイヤを介した前記第１の回転可能な部材の回転が、前記第２の回転可能な部材および前記第２の引っ張りワイヤを回転させて、前記医療用デバイスの遠位端を偏向させるように構成される、アセンブリ。
【請求項２】
前記第１の引っ張りワイヤは、前記第１の回転可能な部材の外表面に巻き付くように構成され、
前記第２の引っ張りワイヤは、前記第２の回転可能な部材の外表面に巻き付くように構成される、請求項１に記載のアセンブリ。
【請求項３】
前記第１および第２の回転可能な部材はそれぞれ、一定の直径を有する、請求項１又は２に記載のアセンブリ。
【請求項４】
前記第１の回転可能な部材は、前記第１の回転可能な部材および前記第２の回転可能な部材それぞれを通って延在するセットポストを介して、前記第２の回転可能な部材に連結される、請求項１〜３のいずれか一項に記載のアセンブリ。
【請求項５】
前記アセンブリが第１の位置にあるとき、前記第２の回転可能な部材に連結される前記第２の引っ張りワイヤの端部は、前記第１の回転可能な部材の前記中心点から第１の距離にあり、前記アセンブリが前記第１の位置から回転方向にずれた第２の位置にあるとき、前記第２の回転可能な部材に連結される前記第２の引っ張りワイヤの前記端部は、前記第１の回転可能な部材の前記中心点から第２の距離にあり、
前記第１の距離は、前記第２の距離より長い、請求項１〜４のいずれか一項に記載のアセンブリ。
【請求項６】
近位端と偏向可能な遠位領域とを有するカテーテル軸体と、
前記カテーテル軸体の前記近位端に連結されるハンドルであって、長手方向軸線に沿って前記ハンドルに対して移動可能なプランジャを備える、ハンドルと、
偏向アセンブリと、を備え、
前記偏向アセンブリは、
第１の引っ張りワイヤを介して前記プランジャに連結されるとともに、第１の直径を有する第１の回転可能な部材と、
第２の引っ張りワイヤを介して前記偏向可能な遠位領域に連結されるとともに、前記第１の直径より小さい第２の直径を有する第２の回転可能な部材と、を備え、
前記第２の回転可能な部材は、前記第２の回転可能な部材の中心点が前記第１の回転可能な部材の中心点からずれるように、前記第１の回転可能な部材に連結され、
前記偏向アセンブリは、前記プランジャの遠位方向の移動によって、前記第１の回転可能な部材および前記第２の回転可能な部材が第１の方向で回転移動して、前記カテーテル軸体の前記偏向可能な遠位領域の偏向をもたらすように構成される、医療用デバイス。
【請求項７】
前記第１の引っ張りワイヤは、前記第１の回転可能な部材の外表面に巻き付くように構成され、
前記第２の引っ張りワイヤは、前記第２の回転可能な部材の外表面に巻き付くように構成される、請求項６に記載の医療用デバイス。
【請求項８】
前記第１および第２の回転可能な部材はそれぞれ、一定の直径を有する、請求項６又は７に記載の医療用デバイス。
【請求項９】
前記第１の回転可能な部材は、前記第１の回転可能な部材および前記第２の回転可能な部材それぞれを通って延在するロッドを介して、前記第２の回転可能な部材に連結される、請求項６〜８のいずれか一項に記載の医療用デバイス。
【請求項１０】
前記医療用デバイスが中立位置にあるとき、前記第２の回転可能な部材に連結される前記第２の引っ張りワイヤの端部は、前記第１の回転可能な部材の前記中心点から第１の距離にあり、前記医療用デバイスが偏向位置にあるとき、前記第２の回転可能な部材に連結される前記第２の引っ張りワイヤの前記端部は、前記第１の回転可能な部材の前記中心点から第２の距離にあり、
前記第１の距離は、前記第２の距離より長い、請求項６〜９のいずれか一項に記載の医療用デバイス。
【請求項１１】
第１の端部で前記偏向可能な遠位領域に連結され、第２の端部で前記プランジャに連結される第３の引っ張りワイヤを更に備え、
前記第３の引っ張りワイヤは、前記プランジャが近位方向に移動すると前記偏向可能な遠位領域を中立位置に戻すのを支援するように構成される、請求項６〜１０のいずれか一項に記載の医療用デバイス。
【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
過活動膀胱の処置方法であって、複数の個別の場所において、ボツリヌス毒素を、膀胱壁に、複数の個別の内部止め部を有して構成された注射器から注入して、前記過活動膀胱を処置するように、前記注射器のプランジャが第１の内部止め部から第２の内部止め部に押圧される際に、各注入場所において、前記注射器から規定の量を投与することを含む、前記方法。
【請求項２】
前記膀胱壁内に、ｍ×ｎのアレイで前記ボツリヌス毒素を注入することをさらに含む、請求項１に記載の方法。
【請求項３】
前記アレイのｍが、２から２０であり、前記アレイのｎが、２から２０である、請求項２に記載の方法。
【請求項４】
前記注射器を、前記複数の個別の内部止め部の各々において触覚フィードバックを提供するように構成することをさらに含む、請求項１に記載の方法。
【請求項５】
前記注射器を、前記プランジャが前記第１の止め部から前記第２の止め部に押圧される際にノイズをほとんど生じないように構成することをさらに含む、請求項４に記載の方法。
【請求項６】
前記注射器を、前記膀胱壁内の少なくとも２０の個別の場所に注入することを可能にする総量で構成することをさらに含む、請求項１に記載の方法。
【請求項７】
前記注射器のバレルを、前記第１の内部止め部において、前記注射器のプランジャの突起と係合する内部のリッジを伴って構成することをさらに含む、請求項１に記載の方法。
【請求項８】
前記注射器に、凍結乾燥されたボツリヌス毒素を充填することをさらに含む、請求項１に記載の方法。
【請求項９】
前記凍結乾燥されたボツリヌス毒素を含む前記注射器に液体を導入することにより、前記凍結乾燥されたボツリヌス毒素を溶融することをさらに含む、請求項１に記載の方法。
【請求項１０】
前記ボツリヌス毒素をｏｎａｂｏｔｕｌｉｎｕｍｔｏｘｉｎＡであるように選択することをさらに含む、請求項１に記載の方法。
【請求項１１】
前記ボツリヌス毒素を注入するユーザが、前記注射器を見ることができない場合、前記膀胱壁内の前記複数の個別の場所の各々において、ほぼ同じ量のボツリヌス毒素を注入するように、前記注射器を配置することをさらに含む、請求項１に記載の方法。
【請求項１２】
膀胱鏡を含む前記注射器を使用して、前記ボツリヌス毒素を注入することをさらに含む、請求項１に記載の方法。
【請求項１３】
前記膀胱壁内への注入数をカウントするように構成されたデバイスを使用することをさらに含む、請求項１２に記載の方法。
【請求項１４】
前記注入方法の間、プロセッサを有して構成されたデバイスを使用することをさらに含む、請求項１２に記載の方法。
【請求項１５】
前記プロセッサを、前記膀胱鏡によって提供されたイメージ上にグリッドを表示するように構成することをさらに含む、請求項１４に記載の方法。
【請求項１６】
前記複数の注入場所の各々のインジケータのサイトを含む前記グリッドを構成することと、前記注射器が、特定のインジケータのサイトにおいて前記ボツリヌス毒素を前記膀胱壁に注入するのに使用されると、前記インジケータを除去することと、をさらに含む、請求項１５に記載の方法。
【請求項１７】
前記注射器を使用して、前記第１の内部止め部及び前記第２の内部止め部を損なっている注射器を使用する場合よりも、１０％から２５％少ない時間で、少なくとも２０の個別の場所に注入することをさらに含む、請求項１に記載の方法。
【請求項１８】
前記注射器のプランジャを、複数の径方向の突起を伴って構成することと、前記注射器のバレルを、複数の内部リッジを伴って構成することであって、複数の内部リッジが、前記径方向の突起の少なくとも１つが前記内部リッジの少なくとも１つと接触した際に、触覚フィードバックを提供するように構成されている、前記注射器のバレルを、複数の内部リッジを伴って構成することと、をさらに含む、請求項１に記載の方法。
【請求項１９】
前記プランジャを、約１２０度離間した３つの径方向の突起を含むように構成することと、前記バレルを、前記バレルに沿って長手方向に離間した周方向の内部リッジを複数備えて構成することと、をさらに含み、第１の長手方向に離間した周方向リッジから、第２の長手方向に離間した周方向リッジへの前記プランジャの押圧により、前記注射器から、計量された量の前記ボツリヌス毒素を投与する、請求項１８に記載の方法。
【請求項２０】
選択されたインターバルで、前記膀胱の排尿を誘導することにより、膀胱の筋肉を訓練することをさらに含む、請求項１に記載の方法。
【手続補正２】
【補正対象書類名】明細書
【補正対象項目名】００２８
【補正方法】変更
【補正の内容】
【００２８】
いくつかの実施形態では、プランジャは、２つ以上の径方向の突起を備える場合がある。図４Ａを参照すると、プランジャ４００は、互いから約１８０度離間した２つの径方向の突起４１０、４２０を備えて示されている。この構成では、（１つまたは複数の選択された数の径方向平面における）１つまたは複数の溝またはリッジがバレル（図示せず）内に存在することになるか、バレルの径方向平面内で約３６０度延びる単一の周状溝またはリッジが存在することができる。たとえば、バレルの２つの周状溝またはリッジは、突起４１０と突起４２０との間の空間と同様の角度だけ離間することができる。図４Ｂを参照すると、バレル４５０は、第１の径方向平面における溝４６０、第２の径方向平面における溝４６５、第３の径方向平面における溝４７０、第４の径方向平面における溝４７５、及び、第５の径方向平面における溝４８０を備えて示されている。
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
ディスプレイ画面コンポーネントと、
前記ディスプレイ画面コンポーネントに画像を伝送するカメラと、
前記ディスプレイ画面コンポーネント及び／または前記カメラを初期化するマイクロコントローラと、
を含み、
前記マイクロコントローラは、使用する際、前記カメラ及び前記ディスプレイ画面コンポーネントの間で伝送される何れのデータも処理しない、
喉頭鏡。
【請求項２】
前記ディスプレイ画面コンポーネント及び前記カメラは、前記マイクロコントローラによって画像データの処理をする必要なく、互いに協働する、
請求項１に記載の喉頭鏡。
【請求項３】
ディスプレイ画面の初期化は、前記ディスプレイ画面の電力制御設定、前記カメラから受信される入力信号の形態、画像データのフォーマット、及び、前記マイクロコントローラ及び前記ディスプレイ画面コンポーネントの間のインターフェイスの形態の何れか、または、何れかの組み合わせに関する情報を前記マイクロコントローラが前記ディスプレイ画面に提供する、ことを含む、
請求項１または請求項２に記載の喉頭鏡。
【請求項４】
前記カメラから受信される前記画像データ及び／または前記入力信号の形態に関する前記情報は、方向、サイズ、カラー、画素配置、ガンマ補正を含む画像補正、及び全体画像データフォーマットの何れか、または、何れかの組み合わせに関する情報を含む、
請求項３に記載の喉頭鏡。
【請求項５】
前記カメラの初期化は、前記カメラの電力制御設定、前記カメラのレンズ設定、ディスプレイ画面に提供される出力信号の形態、画像データの形態及び前記カメラによる何れかの画像処理、及び、前記マイクロコントローラ及び前記カメラの間のインターフェイスの形態の何れか、または、何れかの組み合わせに関する情報を、前記マイクロコントローラが前記カメラに提供する、ことを含む、
請求項１〜請求項４の何れか１項に記載の喉頭鏡。
【請求項６】
前記カメラに提供される前記画像データ及び／または前記出力信号の形態に関する前記情報は、方向、サイズ、カラー、画素配置、画像補正及び全体画像データフォーマットの何れか、または何れかの組み合わせに関する情報を含み得る、
請求項５に記載の喉頭鏡。
【請求項７】
ディスプレイ画面及び前記カメラは、初期化の間、同一の入力電圧が供給されるように適応されている、
請求項１〜請求項６の何れか１項に記載の喉頭鏡。
【請求項８】
ハンドル、本体の遠位端から延在する喉頭鏡ブレード、及び、前記本体の近位端から延在するディスプレイ画面収容部を有する、前記本体を含み、
喉頭鏡は、前記本体の各々の少なくとも部分を画定する少なくとも１つの統合された筐体コンポーネント、前記喉頭鏡ブレード及び前記ディスプレイ画面収容部を含む、
喉頭鏡。
【請求項９】
前記喉頭鏡は、少なくとも２つの統合された筐体コンポーネント、前記本体、前記喉頭鏡ブレード、及び、前記ディスプレイ画面収容部の各々の少なくとも部分を画定する第１筐体コンポーネント、及び、前記本体及び前記ディスプレイ画面収容部の少なくとも部分を画定する第２筐体コンポーネントを含む、
請求項８に記載の喉頭鏡。
【請求項１０】
前記喉頭鏡は少なくとも２つの側部筐体コンポーネントを含み、
前記本体及び前記喉頭鏡ブレードと実質的に交差する中間平面に対して、少なくとも部分的に前記喉頭鏡のディスプレイ画面収容部及び前記本体の各々の側部を画定する、
請求項８または請求項９に記載の喉頭鏡。
【請求項１１】
前記喉頭鏡は、後方筐体コンポーネントを含み、
ディスプレイ画面コンポーネントのディスプレイ画面を通して視認可能な開口を画定する、
請求項１０に記載の喉頭鏡。
【請求項１２】
使用する際に、ユーザの手のひらを受け入れるハンドル、本体の遠位端から延在する喉頭鏡ブレード、及び、前記本体の近位端から延在するディスプレイ画面収容部を含む、前記本体と、
ディスプレイ画面コンポーネントを収容する前記ディスプレイ画面収容部と、
使用する際に、前記ユーザの親指及び人差し指を少なくとも受け入れる把持部と、
を含み、
前記把持部は、前記ディスプレイ画面コンポーネント及び前記ハンドルの間に配置されている、
喉頭鏡。
【請求項１３】
前記把持部は、使用する際に、ユーザの親指の少なくとも部分を受け入れる親指受け入れ面を含み、
前記親指受け入れ面は使用するユーザに向かう面である、
前記把持部の前記親指受け入れ面は、ユーザの親指の少なくとも部分で係合する配置形状を含み、
前記配置形状は、前記ディスプレイ画面コンポーネントに向かう前記親指の長手方向の移動を妨げる、
請求項１２に記載の喉頭鏡。
【請求項１４】
前記把持部は、使用する際、ユーザの人差し指を受け入れる指受け入れ面を含み、
前記指受け入れ面は、使用する際、ユーザに向かない面を含む、
前記指受け入れ面は、前記ディスプレイ画面コンポーネント及び前記ハンドルに向かうユーザの指の移動を妨げる、
請求項１２または請求項１３に記載の喉頭鏡。
【請求項１５】
前記喉頭鏡は一回限りの使用で廃棄可能な喉頭鏡である、
請求項１〜請求項１４の何れか１項に記載の喉頭鏡。
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
被術者の皮膚との電気的接触を提供する電極であって、
（ａ）（ｉ）ポリジメチルシロキサンを含む伝導性シリコーン材料、（ｉｉ）導電性粒子、及び（ｉｉｉ）洗浄剤を備える、電極本体と、
（ｂ）外部コンピューティングシステムへの前記電極の結合を容易にする電気結合部と、
を備える、電極。
【請求項２】
前記洗浄剤が、オレフィンスルホナートを含む、請求項１に記載の電極。
【請求項３】
前記洗浄剤が、重さで前記電極本体の約５から３０％である、請求項１に記載の電極。
【請求項４】
前記洗浄剤が、前記伝導性シリコーン材料と化学的に結合される、請求項１に記載の電極。
【請求項５】
前記導電性粒子が、グラファイト、炭素、又は銀の薄片を含む、請求項１に記載の電極。
【請求項６】
前記導電性粒子が、重さで前記電極本体の約２０から５０％である、請求項１に記載の電極。
【請求項７】
前記ポリジメチルシロキサンが、重さで前記電極本体の約２５から７５％である、請求項１に記載の電極。
【請求項８】
前記電極本体は、重さで約２５から７５％の前記ポリジメチルシロキサン、重さで約２０から５０％の前記導電性粒子、及び重さで約５から２５％の前記洗浄剤を含む、請求項１に記載の電極。
【請求項９】
前記電極本体は、重さで５０％の前記ポリジメチルシロキサン、重さで３５％の前記導電性粒子、及び重さで１５％の前記洗浄剤を含む、請求項１に記載の電極。
【請求項１０】
前記電極本体は、被術者の前記皮膚からの水分の取り込み又は拡散を可能にし、また、前記被術者の前記皮膚から電気信号を受信するか、又は前記被術者の前記皮膚に電気信号を送信する、請求項１に記載の電極。
【請求項１１】
前記伝導性シリコーン材料は、前記電極本体が上に配置された前記被術者の前記皮膚からの水分の取り込み又は拡散を可能にする、請求項１に記載の電極。
【請求項１２】
前記洗浄剤が、前記伝導性シリコーン材料を通るイオンの流れを促進する、請求項１に記載の電極。
【請求項１３】
前記洗浄剤が、前記伝導性シリコーン材料内にイオンを提供し、前記水分と前記イオンとの相互作用が、前記伝導性シリコーン材料を通る前記イオンの流れを可能にする、前記電極内の塩橋をもたらす、請求項１２に記載の電極。
【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
医用装置を運搬するためのコンテナであって、
周辺の壁と、
柔軟な基部と、
開閉可能で柔軟なカバーと、
を備え、
前記周辺の壁は、高さを有し、筐体の径を定義し、高さ方向の寸法が実質的に固定的であり、
前記柔軟な基部は、薄く柔軟なシート素材で形成され、医用装置を受け入れるために前記周辺の壁の内面にハンモック状に取り付けられ、
前記開閉可能で柔軟なカバーは、前記周辺の壁に取り付けられ、
前記周辺の壁は、折れ線を有し、保管のための径縮小配置まで圧縮可能であり、医用装置の受け入れのための径拡大配置まで展開可能であり、
医用装置が前記基部に置かれたときでも、展開状態において前記周辺の壁の最下端は、基部より低いところに展開することを特徴とする、
コンテナ。
【請求項２】
前記周辺の壁は、複数の隣接したパネルであって、パネル間に折れ線のあるものを備える、
請求項１に記載のコンテナ。
【請求項３】
前記パネルは、蛇腹式に折りたたまれる、
請求項２に記載のコンテナ。
【請求項４】
前記周辺の壁は、端部同士が折れ線でつながれた２枚のパネルを備える、
請求項２に記載のコンテナ。
【請求項５】
前記基部または前記カバーは、薄く柔軟なシート素材を備える、
請求項１から４のいずれか一項に記載のコンテナ。
【請求項６】
前記カバーは、第１の管状端および第２の管状端を備えた実質的に管状のシートを備え、
前記第１の管状端は前記周辺の壁に固定され、
前記第２の管状端は自由であり、密閉手段を備える、
請求項５に記載のコンテナ。
【請求項７】
前記密閉手段は、前記カバーの自由端に配置された引き紐を備える、
請求項６に記載のコンテナ。
【請求項８】
前記周辺の壁は、前記コンテナの運搬を容易にするための、ユーザの指を受け入れる２つ以上の開口部を定義する、
請求項１から７のいずれか一項に記載のコンテナ。
【請求項９】
前記周辺の壁は段ボールで形成される、
請求項１から８のいずれか一項に記載のコンテナ。
【請求項１０】
前記コンテナ内に置かれた液体吸収性シートをさらに備える、
請求項１から９のいずれか一項に記載のコンテナ。
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
閉塞層、
前記閉塞層にオーバーレイする吸収層、及び
前記吸収層にオーバーレイする金属酸化物層を含む物品であって、
前記金属酸化物層が、金属酸化物を含み、
前記金属酸化物層が、４０重量％未満の非酸化金属を含む、物品。
【請求項２】
前記金属酸化物層が、２０重量％未満の非酸化金属を含む、請求項１に記載の物品。
【請求項３】
前記金属酸化物が酸化銀である、請求項１に記載の物品。
【請求項４】
前記酸化銀がＡｇ２Ｏである、請求項３に記載の物品。
【請求項５】
前記物品のＡｇ＋放出濃度が、０．１ｐｐｍを超える、請求項４に記載の物品。
【手続補正書】
【提出日】平成31年4月23日(2019.4.23)
【手続補正１】
【補正対象書類名】明細書
【補正対象項目名】００３５
【補正方法】変更
【補正の内容】
【００３５】
上記の様々な実施態様は、単なる例示目的で記載されたものであり、請求する本発明を限定すると解釈するべきものではない。当業者であれば、本明細書に例示及び記載された実施態様の例及び適用例に従わなくても、以下の特許請求の範囲で規定される、請求される本発明の実際の概念及び範囲を逸脱することなく、請求される本発明に対して行われる様々な改良及び変更に容易に想到するであろう。
本件出願は、以下の構成の発明を提供する。
（構成１）
患者に一酸化窒素を送達するためのシステムであって：
該患者の血中酸素濃度を監視するように構成された患者モニター；
該患者で監視される血中酸素濃度に基づく投与量の二酸化窒素を有するガス流を供給するためのガス源；
該ガス源に機能的に結合された、二酸化窒素を一酸化窒素に変換する1つ以上の変換装置；及び
該変換装置に機能的に結合された、該投与量の一酸化窒素を該患者に送達する患者インターフェイスを含む、前記システム。
（構成２）
前記ガス源が人工呼吸器を含む、構成1記載のシステム。
（構成３）
前記人工呼吸器と前記1つ以上の変換装置との間に配置された加湿器を更に含む、構成2記載のシステム。
（構成４）
前記患者モニターが、酸素パルスオキシメータを含む、構成1記載のシステム。
（構成５）
前記酸素パルスオキシメータの測定値に基づいて一酸化窒素の用量を調節するフィードバック制御装置を更に含む、構成4記載のシステム。
（構成６）
一酸化窒素を患者に送達するための方法であって：
該患者の血中酸素濃度を監視するステップ；
該患者で監視される血中酸素濃度に基づく投与量の二酸化窒素を供給するステップ；
該二酸化窒素を一酸化窒素に変換するステップ；及び
該投与量の一酸化窒素を該患者に供給するステップを含む、前記方法。
（構成７）
前記ガス源が人工呼吸器を含む、構成6記載の方法。
（構成８）
前記一酸化窒素を含むガスを加湿するステップを更に含む、構成7記載の方法。
（構成９）
前記患者が、酸素パルスオキシメータで監視される、構成6記載の方法。
【手続補正書】
【提出日】令和1年5月13日(2019.5.13)
【手続補正１】
【補正対象書類名】明細書
【補正対象項目名】００８０
【補正方法】変更
【補正の内容】
【００８０】
１  薬物送達デバイス
２  一次薬物送達アセンブリ
３  二次薬物送達アセンブリ
４  ハウジング
５  一次カートリッジ
６  二次カートリッジ
７  ニードルアダプタ
８  遠位端
９  近位端
１０  一次ハウジング
１１  一次用量設定部材（一次用量ダイヤルスリーブ）
１２  用量ダイヤル
１３  連結要素
１４  ばね
１５  用量ボタン
１６  二次駆動スリーブ
１７  ねじ山
１８  外側ねじ山
１９  親ねじ
２０  第１のねじ山
２１  第２のねじ山
２２  可撓性アーム
２３  二次駆動スリーブの内側ねじ山
２４  ハウジングのねじ山
２５  可撓性アーム
２６  リブ
２７  遠位向きの面
２８  ロッキング要素（屈曲リブ）
２９  傾斜面
【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
上部パネルと、
中央パネルと、
下部パネルと、を備えた個人用呼吸保護デバイスであって、
前記中央パネルが、それぞれ第１及び第２の折り目、縫い目、溶接部、又は接合部によって前記上部パネル及び前記下部パネルのそれぞれから分離され、それによりデバイスが、保管のために前記第１及び第２の折り目、縫い目、溶接部、又は接合部に沿って平坦に折り畳まれ、使用の際は着用者の鼻及び口を覆うカップ状の空気室を形成するために広げられることが可能であり、
前記上部パネルが、把持可能な上部タブを有し、前記上部タブが、使用の際に前記デバイスを広げるために把持可能である、個人用呼吸保護デバイス。
【請求項２】
前記上部タブが、前記タブが前記上部パネルに接している収納位置と、前記上部タブが前記上部パネルから離れる方へ突出する展開位置との間で可動である、請求項１に記載の個人用呼吸保護デバイス。
【請求項３】
前記上部タブが、前記収納位置へ戻される時まで前記展開位置に留まる、請求項２に記載の個人用呼吸保護デバイス。
【請求項４】
前記上部タブが、前記収納位置と前記展開位置との間で動くとき、前記上部タブへの取付け線で折り畳まれる、請求項２又は３に記載の個人用呼吸保護デバイス。
【請求項５】
前記デバイスが、使用者の鼻と一致する形状となるノーズクリップを含み、前記上部タブの前記取付け線が前記ノーズクリップの近傍に位置し、それにより、前記マスクを広げる間に前記上部タブが前記ノーズクリップに作用して、前記ノーズクリップを変形させる、請求項４に記載の個人用呼吸保護デバイス。
【請求項６】
前記下部パネルが、前記下部パネルの外面の内部に取り付けられた把持可能な下部タブを有し、前記下部タブが、使用の際に前記デバイスを広げるために前記上部タブとともに把持可能である、請求項１〜５のいずれか一項に記載の個人用呼吸保護デバイス。
【請求項７】
前記下部パネルが、保管されるとき、横方向の保管用の折り目を有し、前記折り目が前記内部区間を通って延び、前記下部タブが、前記横方向の保管用の折り目の近傍の位置で前記下部パネルに取り付けられている、請求項６に記載の個人用呼吸保護デバイス。
【請求項８】
前記下部タブが、前記横方向の折り目の上又は下１０ｍｍの範囲内に位置決めされている、請求項７に記載の個人用呼吸保護デバイス。
【請求項９】
前記下部タブが、前記横方向の折り目上に位置決めされている、請求項８に記載の個人用呼吸保護デバイス。
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
剛性の又は一層剛性の材料の２つの層の間に配置された可撓性母材を有するサンドイッチアセンブリと、
各々が複数の毛体撚り合わせを備える複数の毛体房であって、各毛体房が近位端及び自由端を有する複数の毛体房と、
各毛体房のための毛体房保持エレメントであって、各毛体房保持エレメントが各毛体房の前記近位端を前記サンドイッチアセンブリに接続する毛体房保持エレメントと、
を有する、ブラシヘッドアセンブリ。
【請求項２】
前記サンドイッチアセンブリは、第１の毛体房保持エレメントの振動運動を第２の毛体房保持エレメントに伝達するために前記剛性の又は一層剛性の材料２つの層が互いに対して移動することができるように構成される、請求項１に記載のブラシヘッドアセンブリ。
【請求項３】
前記サンドイッチアセンブリは、第１の毛体房の垂直方向位置を第２の毛体房に対して変化させるために、前記剛性の又は一層剛性の材料２つの層が印加される力に応答して互いに対して移動することができるように構成される、請求項１又は請求項２に記載のブラシヘッドアセンブリ。
【請求項４】
前記サンドイッチアセンブリの一方の側を少なくとも部分的に取り囲む裏打ち材料を更に有する、請求項１、２又は３に記載のブラシヘッドアセンブリ。
【請求項５】
前記裏打ち材料が前記毛体撚り合わせにより垂直方向に発生される力を調節するために設けられる、請求項４に記載のブラシヘッドアセンブリ。
【請求項６】
前記裏打ち材料に接続された硬質プラテンを更に有する、請求項４又は請求項５に記載のブラシヘッドアセンブリ。
【請求項７】
前記硬質プラテンが前記裏打ち材料により少なくとも部分的に取り囲まれる、請求項６に記載のブラシヘッドアセンブリ。
【請求項８】
前記裏打ち材料が気体又は液体で充填されたチェンバである、請求項４ないし７の何れか一項に記載のブラシヘッドアセンブリ。
【請求項９】
前記可撓性母材がエラストマ又はポリマからなる請求項１ないし８の何れか一項に記載のブラシヘッドアセンブリ。
【請求項１０】
前記可撓性母材が気体又は液体で充填されたチェンバである、請求項１ないし８の何れか一項に記載のブラシヘッドアセンブリ。
【請求項１１】
前記可撓性母材が高密度材料からなる、請求項１ないし１０の何れか一項に記載のブラシヘッドアセンブリ。
【請求項１２】
前記毛体房保持エレメントの少なくとも１つが、パーソナルケア機器の駆動シャフトから振動運動を受ける、請求項１ないし１１の何れか一項に記載のブラシヘッドアセンブリ。
【請求項１３】
駆動トレイン及び駆動シャフトを含むハンドルと、
機械的刺激を発生するために前記駆動トレインの動作を制御するモータコントローラと、
請求項１ないし１２の何れか一項に記載のブラシヘッドアセンブリと、
を有する、パーソナルケア機器。
【請求項１４】
パーソナルケア機器で使用するためのブラシヘッドアセンブリを製造する方法であって、
各々が複数の毛体撚り合わせを備える複数の毛体房を準備するステップであって、各毛体房が近位端及び自由端を有するステップと、
各毛体房に対して毛体房保持エレメントを設けるステップと、
剛性の又は一層剛性の材料の２つの層の間に配置された可撓性母材を有するサンドイッチアセンブリを設けるステップと、
前記毛体房保持エレメントを前記サンドイッチアセンブリに接続するステップと、
を有する、方法。